(57)【要約】【課題】  施設において上映された映像に関するチケットを、その場で直ちに販売することが可能な利便性に優れた発券システムを提供すること。【解決手段】  映像の上映が行われる施設に用いられる発券システムであって、利用者による操作に応じてチケット発券に係る信号を出力する信号出力手段から、チケット発券を要求する旨の発券要求信号を受信する信号受信手段と、施設において所定の映像が上映されているときに、信号受信手段が発券要求信号を受信したことを契機として、該映像に関するチケットに相当するチケット情報を、利用者が所有する携帯端末機に送信するチケット情報送信手段とを備えたことを特徴とする発券システム。【選択図】    図１
2006285864.tif 000002
【特許請求の範囲】
【請求項１】
映像の上映が行われる施設に用いられる発券システムであって、
利用者による操作に応じてチケット発券に係る信号を出力する信号出力手段から、チケット発券を要求する旨の発券要求信号を受信する信号受信手段と、
前記施設において所定の映像が上映されているときに、前記信号受信手段が発券要求信号を受信したことを契機として、該映像に関するチケットに相当するチケット情報を、利用者が所有する携帯端末機に送信するチケット情報送信手段と
を備えたことを特徴とする発券システム。
【請求項２】
前記映像の上映が行われる施設は、映画館であり、
前記チケット情報送信手段は、前記映画館において映画の予告編が上映されているときに、前記信号受信手段が発券要求信号を受信したことを契機として、前記予告編に係る映画のチケットに相当するチケット情報を、携帯端末機に送信することを特徴とする請求項１に記載の発券システム。
【請求項３】
前記携帯端末機から、チケット料金の決済のために必要な決済用情報を受信する情報受信手段と、
前記情報受信手段が受信した決済用情報に基づいて、チケット料金の決済に係る処理を行う決済処理実行手段と
を備え、
前記チケット情報送信手段は、前記決済処理実行手段によるチケット料金の決済に係る処理が終了した後、チケット情報を、前記携帯端末機に送信することを特徴とする請求項１又は２に記載の発券システム。
【請求項４】
前記信号受信手段は、利用者による操作に応じて前記信号出力手段から出力される発券枚数指定信号を受信し、
前記チケット情報送信手段は、前記受信手段が受信した発券枚数指定信号に基づいて、該発券枚数指定信号により指定された枚数のチケットに相当するチケット情報を、前記携帯端末機に送信することを特徴とする請求項１〜３のいずれか１に記載の発券システム。
【請求項５】
前記信号出力手段は、前記施設内の各座席に設置されていることを特徴とする請求項１〜４のいずれか１に記載の発券システム。
【請求項６】
利用者が所有する携帯端末機と赤外線通信が可能な通信手段が、前記施設内の各座席に設置されていて、
前記携帯端末機との通信を、前記通信手段により行うことを特徴とする請求項１〜５のいずれか１に記載の発券システム。
【請求項７】
利用者が所有する携帯端末機と電気的に接続可能な接続端子が、前記施設内の各座席に設置されていて、
前記携帯端末機との通信を、前記接続端子を介して行うことを特徴とする請求項１〜５のいずれか１に記載の発券システム。
【発明の詳細な説明】
【技術分野】
【０００１】
本発明は、例えば、映画館、商業施設、各種アミューズメント施設、各種レクリエーション施設等、映像の上映が行われる施設に用いられる発券システムに関する。
【背景技術】
【０００２】
映画館では、映画本編の上映に先立って予告編や広告等が上映され、これに続いて本編が上映される。映画館で上映される予告編は、近日中に公開される映画や他の映画館で公開中の映画の紹介を行うものであるが、さらに、映画館の設備を使用して臨場感溢れる映像や音声等で紹介を行うことから、テレビや雑誌等では得られない強い印象を観客に与えることができ、観客に映画の前売券や当日券等のチケットの購入を促すことができる。
【０００３】
映画のチケットは、チケット売り場で購入することにより入手することが可能であるが、近年、インターネット等を介した発券システムが徐々に普及していて、このような発券システムを利用すれば、チケット売り場まで足を運ぶことなくチケットを入手することが可能である。従来の発券システムとしては、例えば、インターネットに接続可能な携帯電話機を用いて、チケット売り場が運営するウェブサイトにアクセスし、電子チケットを携帯電話機にダウンロードすることが可能な発券システムが存在する（例えば、特許文献１参照）。
【０００４】
【特許文献１】特開２００４−１７８１６５号公報
【発明の開示】
【発明が解決しようとする課題】
【０００５】
しかしながら、予告編は、映画本編の前に上映されるため、映画本編を観終わった後には、予告編を観た際に観賞したいと思った映画の印象が薄れて、その映画を観賞する意欲が低下してしまい、結局観賞までには至らないという問題がある。また、映画のタイトルを忘れてしまった場合には、観賞を断念せざるを得ないという問題がある。
また、特許文献１に記載の発券システムでは、映画館で上映される予告編に係る映画のチケットをそのときその場で購入しようとしても、次々に上映される予告編を観ながら、チケットが入手できるウェブサイトにアクセスし、購入する操作を行うことは煩雑であるうえ、操作に気を取られていると、他の映画の予告編を見逃すことにもなり、嗜好に合った映画の予告編を観逃す可能性がある。このようなことから、当該発券システムを予告編が上映されているときに利用することは困難であるという問題がある。
また、映画館の経営側にとっても、予告編の上映により観客に強い印象を与えても、その後、印象が薄れてしまった観客やタイトルを忘れてしまった観客にはチケットが購入されず、予告編の上映が集客力の向上に充分に活かされていないという問題がある。
【０００６】
このような問題は、映画館においてのみ生じるものではなく、例えば、ディスコやクラブ等の商業施設や、ゲームセンタやテーマパーク等の各種アミューズメント施設、野球場やコンサート会場等のレクリエーション施設等、映像の上映が行われる施設において同様に生じる問題である。
【０００７】
本発明は上述した問題に鑑みてなされたものであり、その目的は、施設において上映された映像に関するチケットを、その場で直ちに販売することが可能な利便性に優れた発券システムを提供することにある。
【課題を解決するための手段】
【０００８】
以上のような目的を達成するために、本発明は、以下のようなものを提供する。
（１）映像の上映が行われる施設に用いられる発券システムであって、
利用者による操作に応じてチケット発券に係る信号を出力する信号出力手段から、チケット発券を要求する旨の発券要求信号を受信する信号受信手段と、
上記施設において所定の映像が上映されているときに、上記信号受信手段が発券要求信号を受信したことを契機として、該映像に関するチケットに相当するチケット情報を、利用者が所有する携帯端末機に送信するチケット情報送信手段と
を備えたことを特徴とする発券システム。
【０００９】
（１）の発明によれば、映像の上映が行われる施設（例えば、映画館等）において所定の映像（例えば、映画の予告編等）が上映されているときに、利用者による操作に応じて出力された発券要求信号を受信したことを契機として、該映像に関するチケットに相当するチケット情報（例えば、映画館等の入り口に設置された読取装置に読み取らせることにより入場することができるバーコード等の画像データ等の所謂、電子チケット）を、利用者が所有する携帯電話機等の携帯端末機に送信する。
このように、発券要求信号を受信したときに上映されている映像に関するチケット情報が利用者の携帯端末機に送信されるため、利用者は、該チケット情報をそのときにその場で取得することができる。従って、該映像を観て、その印象が強い間にチケット情報を取得することができるため、該映像に関する映画等を観逃すことなく楽しむことができる。
また、チケット情報をそのときにその場で取得することができるため、例えば、映画のタイトルを忘れてしまい、観賞を断念せざるを得ないといった事態になることを防ぐことができる。
また、映画館の経営側にとっても、所定の映像を上映し、観客に強い印象を与えたそのときにチケットが取得されるため、その後、印象が薄れたり、タイトルが忘れられたりすることによりチケットが取得されなくなるといったケースが排除され、その結果、集客力を向上させることが可能である。
【００１０】
さらに、本発明は、以下のようなものを提供する。
（２）  上記（１）の発券システムであって、
上記映像の上映が行われる施設は、映画館であり、
上記チケット情報送信手段は、上記映画館において映画の予告編が上映されているときに、上記信号受信手段が発券要求信号を受信したことを契機として、上記予告編に係る映画のチケットに相当するチケット情報を、携帯端末機に送信することを特徴とする。
【００１１】
（２）の発明によれば、発券要求信号を受信したときに映画館において上映されている映画の予告編に係る映画のチケットに相当するチケット情報を利用者の携帯端末機に送信するため、利用者は、該チケット情報をそのときにその場で取得することができる。従って、利用者は、予告編を観て、観賞したいと思った映画のチケット情報をそのときにその場で取得することができる。その結果、予告編を観たときの印象が強い間にチケット情報を取得することができるため、該予告編に係る映画を観逃すことなく楽しむことができる。
【００１２】
さらに、本発明は、以下のようなものを提供する。
（３）  上記（１）又は（２）の発券システムであって、
上記携帯端末機から、チケット料金の決済のために必要な決済用情報を受信する情報受信手段と、
上記情報受信手段が受信した決済用情報に基づいて、チケット料金の決済に係る処理を行う決済処理実行手段と
を備え、
上記チケット情報送信手段は、上記決済処理実行手段によるチケット料金の決済に係る処理が終了した後、チケット情報を、上記携帯端末機に送信することを特徴とする。
【００１３】
（３）の発明によれば、チケット料金の決済に係る処理が終了した後、チケット情報が、携帯端末機に送信されるため、後から料金を支払う等の手間がなく、スムーズな決済を行うことができる。
【００１４】
さらに、本発明は、以下のようなものを提供する。
（４）  上記（１）〜（３）のいずれか１の発券システムであって、
上記受信手段は、利用者による操作に応じて上記信号出力手段から出力される発券枚数指定信号を受信し、
上記チケット情報送信手段は、上記受信手段が受信した発券枚数指定信号に基づいて、該発券枚数指定信号により指定された枚数のチケットに相当するチケット情報を、上記携帯端末機に送信することを特徴とする。
【００１５】
（４）の発明によれば、利用者による操作に応じた枚数のチケットに相当するチケット情報を取得することができるため、利便性に優れる。
【００１６】
さらに、本発明は、以下のようなものを提供する。
（５）  上記（１）〜（４）のいずれか１の発券システムであって、
上記信号出力手段は、上記施設内の各座席に設置されていることを特徴とする。
【００１７】
（５）の発明によれば、信号出力手段（例えば、チケット購入の指示を入力するためのボタン等）が施設内の各座席に設置されているため、操作性に優れる。
【００１８】
さらに、本発明は、以下のようなものを提供する。
（６）  上記（１）〜（５）のいずれか１の発券システムであって、
利用者が所有する携帯端末機と赤外線通信が可能な通信手段が、上記施設内の各座席に設置されていて、
上記携帯端末機との通信を、上記通信手段により行うことを特徴とする。
【００１９】
（６）の発明によれば、インターネット等を介することなく、携帯端末機と赤外線通信により直接に通信を行うことができる。従って、通信料等が発生しないため、利用者にとって経済的であり利用度を向上させることができる。
また、施設が映画館であり、携帯端末機が携帯電話機の場合、赤外線通信により利用者の携帯電話機の着信音が鳴らないように設定して、他の観客の迷惑とならないようにすることもでき、上映中の館内の環境を向上させることも可能である。
【００２０】
さらに、本発明は、以下のようなものを提供する。
（７）  上記（１）〜（５）のいずれか１の発券システムであって、
利用者が所有する携帯端末機と電気的に接続可能な接続端子が、上記施設内の各座席に設置されていて、
上記携帯端末機との通信を、上記接続端子を介して行うことを特徴とする。
【００２１】
（７）の発明によれば、インターネット等を介することなく、携帯端末機と接続端子を介して直接に通信を行うことができる。従って、通信料等が発生しないため、利用者にとって経済的であり利用度を向上させることができる。
また、施設が映画館であり、携帯端末機が携帯電話機の場合、接続端子を介した通信により利用者の携帯電話機の着信音が鳴らないように設定して、他の観客の迷惑とならないようにすることもでき、上映中の館内の環境を向上させることも可能である。
【発明の効果】
【００２２】
本発明によれば、施設において上映された映像に関するチケットを、その場で直ちに販売することが可能な利便性に優れた発券システムを提供することができる。
【発明を実施するための最良の形態】
【００２３】
本発明の実施形態について図面に基づいて説明する。
以下においては、本発明の好適な実施形態として、本発明の発券システムを映画館に適用した場合について説明することとする。
【００２４】
図１は、本発明の発券システムが適用された映画館の座席の一つを模式的に示す斜視図である。
座席１の両側には肘掛２が設けられており、この肘掛２の上面の奥側には、携帯電話機等の携帯端末機を収容可能な収容部１１が設けられている。利用者は、自己が所有する携帯端末機２９を収容部１１に収めて映画のチケットの発券を受けることができる。図示しないが、肘掛２には、収容部１１に収められた携帯端末機と赤外線を介してデータ通信が可能な赤外線通信装置２１が内蔵されている。
以下においては、携帯端末機が携帯電話機である場合について説明するが、本発明において、携帯端末機は、チケット情報が記憶可能なメモリ等を備えたものであれば、特に限定されるものではなく、例えば、ＰＤＡ（パーソナル・ディジタル・アシスタンツ）等を挙げることができる。
本発明において、チケット情報とは、映画館、ディスコやクラブ等の商業施設、ゲームセンタやテーマパーク等の各種アミューズメント施設、野球場やコンサート会場等のレクリエーション施設等の施設に入場するためのチケットを電子データ化した情報であり、例えば、施設の入り口に設置された読取装置に読み取らせることにより入場することができるバーコード等の画像データ、当該施設に入場可能な旨が記載された画面画像データ等（所謂電子チケット）をいう。
【００２５】
収容部１１の手前側には、チケット１枚発券要求ボタン１２と、チケット２枚発券要求ボタン１３とが設けられている。
チケット１枚発券要求ボタン１２は、チケットを１枚発券する要求を入力するためのボタンである。チケットの発券を受けることが可能な状態であるときに、利用者は、チケット１枚発券要求ボタン１２を押圧操作することにより、当該チケット１枚に相当するチケット情報の発券を受けることができる。
【００２６】
チケット２枚発券要求ボタン１３は、チケットを２枚発券する要求を入力するためのボタンである。チケットの発券を受けることが可能な状態であるときに、利用者は、チケット２枚発券要求ボタン１３を押圧操作することにより、当該チケット２枚に相当するチケット情報の発券を受けることができる。
【００２７】
利用者は、チケット１枚発券要求ボタン１２又はチケット２枚発券要求ボタン１３のいずれかを押圧操作することにより、施設で上映されている映像に関するチケット情報を携帯電話機２９が備えるメモリ（図示せず、図４参照）等に記憶させることができる。このように、利用者による操作に応じた枚数のチケットに相当するチケット情報を取得することができるため、利便性に優れている。
【００２８】
これらの各種ボタン１２、１３にはＬＥＤが内蔵されており、それぞれのボタン１２、１３は、操作可能であるときに点灯する。
チケット１枚発券要求ボタン１２は、上映中の映像に関するチケット１枚に相当するチケット情報の発券を受けることが可能であり、かつ、携帯電話機２９が収容部１１に収められているときに点灯する。
【００２９】
チケット２枚発券要求ボタン１３は、上映中の映像に関するチケット２枚に相当するチケット情報の発券を受けることが可能であり、かつ、携帯電話機２９が収容部１１に収められているときに点灯する。チケット１枚発券要求ボタン１２又はチケット２枚発券要求ボタン１３の点灯により、利用者は、施設で上映されている映像に関するチケットに相当するチケット情報を取得することが可能な状態にあることを把握することができる。
【００３０】
図２は、本発明の発券システムの構成を示すブロック図である。
本発明の発券システムは、サーバ３０と、映画館４０の座席ごとに設置された複数のサテライト１０とが、配線網４１を介して接続されて構成されている。
サーバ３０は、ＣＰＵ（セントラル・プロセシング・ユニット）３１と、ＲＯＭ（リード・オンリ・メモリ）３２と、ＲＡＭ（ランダム・アクセス・メモリ）３３と、ＨＤＤ（ハードディスクドライブ）３４とを備えており、Ｉ／Ｆ（インターフェイス回路）３５により、配線網４１を介して、各サテライト１０と接続されている。
【００３１】
ＣＰＵ３１は、各サテライト１０から送信される各種信号に応じて、ＲＯＭ３２又はＨＤＤ３４に記憶されたプログラムを実行し、例えば、各種信号の送受信、チケット情報の送信、決済に係る処理等、チケット発券に係る各種の処理を実行する。
ＲＯＭ３２には、サーバ３０の動作を制御するためのプログラム等が記憶されている。ＲＡＭ３４には、チケット発券に係る各種の処理を行うためのデータ等の各種のデータが一時的に記憶される。ＨＤＤ３４には、例えば、チケット発券に係る処理を実行するためのプログラム、映画館４０で上映される予告編に係る映画のチケットに相当するチケット情報、映画館４０で上映される予告編及び当該予告編が上映される時間に関するタイムチャートに関するデータ等、各種のプログラムやデータが記憶されている。
【００３２】
図３は、本発明の発券システムが備えるサテライトの構成を示すブロック図である。
サテライト１０が備えるＣＰＵ２５は、例えば、サーバ３０から送信される各種信号、利用者から各種ボタン１２、１３を介して入力される各種信号、及び、赤外線通信装置２１により携帯電話機２９が備えるメモリから読み取られたデータ等に応じて、チケット発券を受けるための各種の処理を実行する。ＲＯＭ２６は、サテライト１０の動作を制御するためのプログラム等が記憶されている。
【００３３】
ＲＡＭ２７には、チケット発券を受けるための各種の処理を行うためのデータ等の各種のデータが一時的に記憶される。Ｉ／Ｆ（インターフェイス回路）２８は、サーバ３０へのデータの送信と、サーバ３０からのデータの受信とを行うものである。
【００３４】
ＣＰＵ２５には、赤外線通信装置２１が接続されている。赤外線通信装置２１は、ＣＰＵ２５からの命令信号に応じて、収容部１１（図示せず）に収められた携帯電話機２９のメモリ（図示せず、図４参照）へのデータの書き込みと、携帯電話機２９のメモリからのデータの読み取りとを行う。
ＣＰＵ２５は、所定のタイミングで赤外線通信装置２１を駆動し、局発見コマンドを送出する。そして、収容部１１に収められた携帯電話機２９から応答信号を受信した場合には、データリンクが設定され、データの送受信が可能となる。赤外線通信装置２１は、本発明における通信手段に相当するものである。
【００３５】
また、ＣＰＵ２５には、チケット１枚発券要求ボタン１２を構成するスイッチ１２Ｓ及びランプ１２Ｌと、チケット２枚発券要求ボタン１３を構成するスイッチ１３Ｓ及びランプ１３Ｌとが接続されている。
各スイッチ１２Ｓ、１３Ｓは、各ボタン１２、１３が操作されたことを受けて、発券要求信号、及び、発券枚数指定信号をＣＰＵ２５に送信する。チケット１枚発券要求ボタン１２、及び、チケット２枚発券要求ボタン１３は、利用者による操作に応じてチケット発券に係る信号を出力する信号出力手段として機能するとともに、利用者による操作に応じて発券枚数指定信号を出力する信号出力手段として機能する。
各ランプ１２Ｌ、１３Ｌは、ＣＰＵ２５からの駆動信号に応じて、点灯又は消灯する。
【００３６】
図４は、携帯電話機の内部構成を示すブロック図である。
携帯電話機２９は、操作部４０４、液晶パネル４０６、ＣＣＤカメラ４０８、赤外線通信装置４２８、無線部４１０、音声回路４１２、スピーカ４１４、マイク４１６、送受信アンテナ４１８、不揮発性メモリ４２０、マイクロコンピュータ４２２及び二次電池４２４を備えている。
【００３７】
無線部４１０は、マイクロコンピュータ４２２により制御されて、送受信アンテナ４１８を通じて電波を媒体として基地局に対して送受信する。音声回路４１２は、無線部４１０からマイクロコンピュータ４２２を通じて出力された受信信号をスピーカ４１４に出力するとともに、マイク４１６から出力された音声信号を送信信号としてマイクロコンピュータ４２２を通じて無線部４１０に出力する。
【００３８】
スピーカ４１４は、音声回路４１２から出力された受信信号を受信音声に変換して出力し、マイク４１６は、操作者から発せられた送信音声を音声信号に変換して音声回路４１２に出力する。
ＣＣＤカメラ４０８は、ＣＣＤカメラ４０８のレンズに映し出された像を撮影可能であり、撮影して得られた画像データは不揮発性メモリ４２０に記憶される。
【００３９】
マイクロコンピュータ４２２には、赤外線通信装置４２８が接続されている。マイクロコンピュータ４２２は、赤外線通信により外部からデータの受信を受け付ける旨の指示が操作部４０４を介して入力されると、赤外線通信装置４２８を駆動し、データの受信を受け付ける状態（待機状態）に設定する。そして、サテライト１０が備える赤外線通信装置２１から局発見コマンドを受信すると、応答コマンドを送信し、データリンクを設定する。このようにして、データリンクが設定された上で、携帯電話機２９とサテライト１０とが赤外線を介してデータの送受信を行うのである。
【００４０】
不揮発性メモリ４２０は、例えば、決済用情報、チケット情報等の各種データや各種プログラムを不揮発的に記憶する。
決済用情報とは、チケット料金の決済のためのデータであり、例えば、クレジットカード番号、金融機関の口座番号、利用者の氏名等が挙げられる。
二次電池４２４は、各回路に電力を供給する。マイクロコンピュータ４２２は、ＣＰＵ、ＲＯＭ及びＲＡＭから構成されたもので、例えば、電話の発着信処理、電子メールの作成送受信処理、インターネット処理、赤外線通信処理等を行う。なお、電子メールの送受信及びインターネットによるデータの送受信は、マイクロコンピュータ４２２が無線部４１０及び送受信アンテナ４１８を介して行う。
【００４１】
図５は、本発明の発券システムにおいて実行されるチケット発券処理を行うサブルーチンを示すフローチャートである。
このサブルーチンは、予めサテライト１０又はサーバ３０において実行されているメインルーチンから所定のタイミングで呼び出されて実行されるサブルーチンである。
【００４２】
まず、サーバ３０は、映画館４０で予告編が上映されているか否かを判断する（ステップＳ１０１）。映画館４０で予告編が上映されているか否かは、現時刻と、ＨＤＤ３４に記憶されたタイムチャートとに基づいて判断される。
【００４３】
映画館４０で予告編が上映されていないと判断した場合、処理をステップＳ１０１に戻す。
一方、映画館４０で予告編が上映されていると判断した場合、サーバ３０は、全てのサテライト１０に対して、予告編が上映中である旨を示す上映開始信号を送信する（ステップＳ１０２）。この処理において、サーバ３０のＣＰＵ３１は、Ｉ／Ｆ３５を介して、各サテライト１０に対して上映開始信号を送信する。
【００４４】
当該上映開始信号を受信したサテライト１０は、収容部１１に携帯電話機２９が収められているか否かを判断する（ステップＳ２０１）。この処理において、サテライト１０のＣＰＵ２５は、赤外線通信装置２１を駆動させ、局発見コマンドを送信し、携帯電話機２９から応答コマンドを受信したか否かにより、収容部１１に携帯電話機２９が収められているか否かを判断する。すなわち、サテライト１０のＣＰＵ２５は、携帯電話機２９から応答コマンドを受信した場合には、収容部１１に携帯電話機２９が収められていると判断し、携帯電話機２９から応答コマンドを受信しなかった場合には、収容部１１に携帯電話機２９が収められていないと判断する。
なお、収容部１１に携帯電話機２９が収められていると判断した場合、サテライト１０のＣＰＵ２５は、赤外線通信装置２１を駆動させ、赤外線通信により利用者の携帯電話機の着信音が鳴らないように設定する（例えば、マナーモードに設定する）コマンドを送信することとしてもよい。このようにした場合、利用者の携帯電話機の着信音が鳴らないため、他の観客の迷惑とならず、上映中の館内の環境を向上させることが可能である。
【００４５】
収容部１１に携帯電話機２９が収められていると判断した場合、サテライト１０は、チケット発券要求ボタン（チケット１枚発券要求ボタン１２、チケット２枚発券要求ボタン１３）を点灯させる処理を行う（ステップＳ２０２）。この処理において、サテライト１０のＣＰＵ２５は、チケット１枚発券要求ボタン１２のランプ１２Ｌに電力を供給し、チケット１枚発券要求ボタン１２を点灯させる。また、サテライト１０のＣＰＵ２５は、チケット２枚発券要求ボタン１３のランプ１３Ｌに電力を供給し、チケット２枚発券要求ボタン１３を点灯させる。
利用者は、チケット発券要求ボタン（チケット１枚発券要求ボタン１２、チケット２枚発券要求ボタン１３）の点灯により、現在、映画館４０で上映されている予告編に係る映画のチケットの発券を受けることが可能であることを把握することができる。
【００４６】
次に、サテライト１０は、チケット発券要求ボタン（チケット１枚発券要求ボタン１２、チケット２枚発券要求ボタン１３）の操作の受付を開始する処理を行う（ステップＳ２０３）。
チケット１枚発券要求ボタン１２が操作されると、チケット１枚発券要求ボタン１２のスイッチ１２ＬからＣＰＵ２５へ発券要求信号が送信され、チケット２枚発券要求ボタン１３が操作されると、チケット２枚発券要求ボタン１３のスイッチ１３ＬからＣＰＵ２５へ発券要求信号が送信されるのであるが、これらのチケット発券要求ボタン１２、１３の操作の受付がされているときには、ＣＰＵ２５は、当該発券要求信号に基づいて、後述するチケット発券に係る処理を実行する。一方、チケット発券要求ボタン１２、１３の操作の受付がされていないときには、ＣＰＵ２５は、当該発券要求信号を受信しても、チケット発券に係る処理を実行しない。
【００４７】
ステップＳ２０４において、サテライト１０は、チケット発券要求ボタン（チケット１枚発券要求ボタン１２又はチケット２枚発券要求ボタン１３）が操作されたか否かを判断する。この処理において、サテライト１０のＣＰＵ２５は、チケット１枚発券要求スイッチ１２Ｓ又はチケット２枚発券要求スイッチ１３Ｓからの発券要求信号を受信したか否かを判断する。
なお、チケット１枚発券要求ボタン１２又はチケット２枚発券要求ボタン１３の操作の受付が行われていない場合には、チケット１枚発券要求スイッチ１２Ｓ又はチケット２枚発券要求スイッチ１３Ｓからの発券要求信号を受信しても、サテライト１０のＣＰＵ２５は、チケット１枚発券要求ボタン１２又はチケット２枚発券要求ボタン１３が操作されたと判断せず、後述するチケット発券に係る処理を実行しない。
【００４８】
ステップＳ２０４における処理でチケット発券要求ボタンが操作されたと判断した場合、サテライト１０のＣＰＵ２５は、サーバ３０に対して、チケット発券を要求する旨の発券要求信号を送信する（ステップＳ２０５）。このとき、サテライト１０のＣＰＵ２５は、ステップＳ２０４における処理でチケット１枚発券要求ボタン１２が操作された場合には、発券要求枚数が１枚であることを示す発券枚数指定信号を発券要求信号とともにサーバ３０に送信する。また、ステップＳ２０４においてチケット２枚発券要求ボタン１３が操作された場合には、発券要求枚数が２枚であることを示す発券枚数指定信号を発券要求信号とともにサーバ３０に送信する。
【００４９】
ステップＳ１０３において、サーバ３０は、このサテライト１０から発券要求信号と発券枚数指定信号とを受信する。このとき、サーバ３０は、発券要求信号及び発券枚数指定信号を受信する信号受信手段として機能する。
【００５０】
発券要求信号と発券枚数指定信号とを受信したサーバ３０は、受信した発券要求信号と発券枚数指定信号とに基づいてこのサテライト１０について発券するチケットの種類と発券枚数とをＨＤＤ３４に記憶させる処理を行う（ステップＳ１０４）。この処理において、サーバ３０のＣＰＵ３１は、発券要求信号を受信した時刻と、ＨＤＤ３４に記憶されたタイムチャートとに基づいてチケットの種類（例えば、どの映画のチケットであるか）を判断し、発券枚数指定信号に基づいて発券枚数を判断する。ＣＰＵ３１は、このようにして判断したチケットの種類と発券枚数とをＨＤＤ３４に記憶させるのである。
【００５１】
次に、サーバ３０のＣＰＵ３１は、このサテライト１０に対して、決済用情報の送信を要求する決済用情報要求信号を送信する（ステップＳ１０５）。
【００５２】
サーバ３０から決済用情報要求信号を受信したこのサテライト１０は、携帯電話機２９から決済用情報を読み取り、読み取った決済用情報をサーバ３０に送信する。（ステップＳ２０６）。このとき、サテライト１０のＣＰＵ２５は、赤外線通信装置２１を駆動し、携帯電話機２９から決済用情報を読み取り、読み取った決済用情報をサーバ３０に送信する。
【００５３】
サーバ３０は、このサテライト１０から決済用情報を受信する（ステップＳ１０６）。このとき、サーバ３０は、決済用情報を受信する情報受信手段として機能する。
【００５４】
サテライト１０から決済用情報を受信したサーバ３０は、決済用情報の有効性チェックを行う（ステップＳ１０７）。この処理において、サーバ３０のＣＰＵ３１は、決済用情報に基づいて外部の機関（例えば、カード会社、銀行等）に照会を行い、該決済用情報が有効であるか否かを判断する。該決済用情報が有効であると判断した場合、サーバ３０は、当該機関からチケット料金の決済（例えば、引き落とし等）を行う。チケット料金は、ＨＤＤ３４に記憶されたチケットの種類と発券枚数（ステップＳ１０４参照）に基づいて算出される。ステップＳ１０７において、ＣＰＵ３１は、受信した決済用情報に基づいて、チケット料金の決済に係る処理を行う決済処理実行手段として機能する。
【００５５】
次に、サーバ３０は、発券要求信号の送信元であるサテライト１０に対して、チケット情報の送信を行う（ステップＳ１０８）。この処理において、サーバ３０のＣＰＵ３１は、ＨＤＤ３４に記憶したチケットの種類と発券枚数（ステップＳ１０４参照）に基づいて、チケット情報をＨＤＤ３４から読み出し、発券要求信号の送信元であるサテライト１０に送信する。このようにしてサテライト１０に送信されたチケット情報は、後述するステップＳ２０７において携帯電話機２９のメモリに書き込まれることになる。ステップＳ１０７の処理において、ＣＰＵ３１は、映画館４０において映画の予告編が上映されているときに、発券要求信号を受信したことを契機として、該予告編に係る映画のチケットに相当するチケット情報を、利用者が所有する携帯電話機２９に送信するチケット情報送信手段として機能する。
【００５６】
チケット情報を受信したサテライト１０は、受信したチケット情報を携帯電話機２９のメモリ４２０に書き込む（ステップＳ２０７）。
【００５７】
次に、サテライト１０は、ランプ１２Ｌ、１３Ｌへの電力の供給を停止し、チケット１枚発券要求ボタン１２及びチケット２枚発券要求ボタン１３を消灯させる処理を行い（ステップＳ２０８）、チケット１枚発券要求ボタン１２及びチケット２枚発券要求ボタン１３の操作の受付を終了する処理を行う（ステップＳ２０９）。このとき、利用者は、チケット１枚発券要求ボタン１２及びチケット２枚発券要求ボタン１３の消灯により、チケット発券が終了したことを把握することができる。
【００５８】
その後、サーバ３０は、映画館４０における予告編の上映が終了したか否かを判断する（ステップＳ１０９）。映画館４０における予告編の上映が終了したか否かは、現時刻と、ＨＤＤ３４に記憶されたタイムチャートとに基づいて判断される。
【００５９】
映画館４０における予告編の上映が終了していないと判断した場合、ステップＳ２０４からの処理を繰り返し実行する。一方、映画館４０における予告編の上映が終了したと判断した場合、サーバ３０は、全てのサテライト１０に対して、予告編の上映が終了した旨を示す上映終了信号の送信を行う（ステップＳ１１０）。この処理において、サーバ３０のＣＰＵ３１は、Ｉ／Ｆ３５を介して、各サテライト１０に対して上映終了信号の送信を行う。
【００６０】
当該上映終了信号を受信したサテライト１０は、ランプ１２Ｌ、１３Ｌへの電力の供給を停止し、チケット１枚発券要求ボタン１２及びチケット２枚発券要求ボタン１３を消灯させる処理を行い（ステップＳ２１０）、チケット１枚発券要求ボタン１２及びチケット２枚発券要求ボタン１３の操作の受付を終了する処理を行う（ステップＳ２１１）。このとき、利用者は、チケット１枚発券要求ボタン１２及びチケット２枚発券要求ボタン１３の消灯により、上映されていた予告編に係る映画のチケットの発券を受けることができなくなったと把握することができる。
【００６１】
以上、本実施形態における発券システムによれば、発券要求信号を受信したときに上映されている映画の予告編に係る映画のチケット情報が利用者の携帯電話機２９に送信されるため、利用者は、該チケット情報をそのときにその場で取得することができる。従って、該予告編を観て、その印象が強い間にチケット情報を取得することができるため、該予告編に係る映画を観逃すことなく楽しむことができる。
また、チケット情報をそのときにその場で取得することができるため、映画のタイトルを忘れてしまい、観賞を断念せざるを得ないといった事態になることを防ぐことができる。
また、映画館の経営側にとっても、予告編を上映し、観客に強い印象を与えたそのときにチケットが取得されるため、その後、印象が薄れたり、タイトルが忘れられたりすることによりチケットが取得されなくなるといったケースが排除され、その結果、集客力を向上させることが可能である。
【００６２】
また、本実施形態における発券システムによれば、チケット料金の決済に係る処理が終了した後、チケット情報が、携帯電話機２９に送信されるため、後から料金を支払う等の手間がなく、スムーズな決済を行うことができる。
【００６３】
また、本実施形態における発券システムによれば、チケット発券要求ボタンが施設内の各座席に設置されているため、操作性に優れている。
さらに、本実施形態における発券システムによれば、インターネット等を介することなく、携帯端末機と赤外線通信により直接に通信を行うため、通信料等が発生せず、利用者にとって経済的であり利用度を向上させることができる。
【００６４】
本実施形態では、利用者の携帯電話機２９との通信を、赤外線通信により行うこととして説明したが、本発明の発券システムは、上述した実施形態のように、利用者が所有する携帯端末機との赤外線通信が可能な通信手段（赤外線通信装置２９）が、施設内の各座席に設置されていて、携帯端末機との通信を上記通信手段により行うことが望ましい。
また、本発明の発券システムにおいては、利用者が所有する携帯電話機と電気的に接続可能な接続端子が、施設内の各座席に設置されていて、携帯端末機との通信を、接続端子を介して行うことも望ましい。インターネット等を介することなく、携帯端末機と直接に通信を行うことができ、通信料等が発生しないため、利用者にとって経済的であり利用度を向上させることができるからである。
【００６５】
上述した発券システムでは、信号出力手段がチケット発券要求ボタンである場合について説明したが、本発明における信号出力手段は、携帯電話機２９の操作部４０４であることとしてもよい。このようにした場合、利用者が携帯電話機２９の操作部４０４を操作することにより、チケット情報を利用者の所有する携帯電話機２９に送信させることができる。
【００６６】
また、上述した発券システムでは、携帯端末機にチケット情報を記憶する場合について説明したが、携帯端末機に限らず、例えば、ＩＣカードのような記憶媒体であってもよい。このような記憶媒体であれば、利用者は外出時に携帯可能であるため、本発明の発券システムに適用することができるからである。
【００６７】
また、上述した発券システムでは、サーバ３０からサテライト１０にチケット情報が送信され、当該チケット情報が携帯電話機２９に記憶される場合について説明したが、本発明の発券システムは、例えば、映画のタイトル及び公開日程を示すデータが、サーバ３０からサテライト１０に送信され、携帯電話機２９に記憶されるように構成されていてもよい。このようにした場合、利用者は、観たいと思った映画のタイトルや公開日を容易に把握することができるため、後日、携帯電話機２９に記憶された映画のタイトルや公開日を頼りに当該映画を観賞することができる。
【００６８】
また、上述した発券システムでは、所定の映像に関するチケットは、映画のチケットに限らず、コンサートやイベント等に関するチケットであってもよい。
また、上述した例では、施設の座席ごとに、携帯端末機を収容可能な収容部を備えたサテライトが設置されている場合について説明したが、必ずしも、施設の座席ごとにサテライトが設置されている必要はない。
【００６９】
以上、本発明の発券システムを映画館に適用した場合について説明したが、勿論、本発明の発券システムは、映画館以外にも、例えば、ディスコやクラブ等の商業施設、ゲームセンタやテーマパーク等の各種アミューズメント施設、野球場やコンサート会場等のレクリエーション施設等、映像の上映が行われる各種の施設に適用することが可能である。
【図面の簡単な説明】
【００７０】
【図１】本発明の発券システムが適用された映画館の座席の一つを模式的に示す斜視図である。
【図２】本発明の発券システムの構成を示すブロック図である。
【図３】本発明の発券システムが備えるサテライトの構成を示すブロック図である。
【図４】携帯電話機の内部構成を示すブロック図である。
【図５】本発明の発券システムにおいて実行されるチケット発券処理を行うサブルーチンを示すフローチャートである。
【符号の説明】
【００７１】
１  座席
２  肘掛
１０  サテライト
１１  収容部
１２  チケット１枚発券要求ボタン
１３  チケット２枚発券要求ボタン
２１  赤外線通信装置
２９  携帯電話機
３０  サーバ
３１  ＣＰＵ
３２  ＲＯＭ
３３  ＲＡＭ
３４  ＨＤＤ
【図１】
2006285864.tif 000003
【図２】
2006285864.tif 000004
【図３】
2006285864.tif 000005
【図４】
2006285864.tif 000006
【図５】
2006285864.tif 000007